(57)【特許請求の範囲】
【請求項１】
装置本体内に収納した複数枚の投票用紙を１枚ずつ分離して装置本体のスリットから突出させ取り出せるようにした投票用紙交付機において、
装置本体後部に複数枚の投票用紙を収納する投票用紙収納空間を形成し、該投票用紙収納空間が対向する装置本体の上壁および後壁の少なくとも一部を透明にし、
上記投票用紙収納空間に、略水平方向前後に延在する底壁と、該底壁の前端から略垂直上方に、前後方向に対して略直交して延在する立壁と、該立壁に対向し、上記底壁に沿って該立壁に対して接離自在に支持され、該立壁側に付勢される押え部材とを有し、上記底壁に複数枚の投票用紙をその記入面が装置後方を向くようにして立てた状態で前後方向に重ねて載置し、上記立壁と上記押え部材との間に挟持する給紙部と、
上記投票用紙収納空間に隣接して装置本体上部に、装置本体内に収納した投票用紙を上記スリットから１枚だけ突出させるべく分離したときに重なった状態で分離された複数枚の投票用紙を回収する投票用紙回収部とを備え、
上記給紙部に収納された最後部の投票用紙の記入面と上記投票用紙回収部に回収された投票用紙が上記上壁および後壁の少なくとも一方の透明部分を通して外部から同時に見えるように構成されていることを特徴とする、投票用紙交付機。
【請求項２】
上記給紙部の上記底壁は、その後側が高くなるように傾き、上記給紙部の上記立壁は、前方に傾いていることを特徴とする、請求項１記載の投票用紙交付機。
【請求項３】
装置本体の上記上壁の後部および上記後壁の上部は、断面略Ｌ字状に連続した透明な開閉蓋からなり、
該開閉蓋は、その前端側が装置本体に回動自在に支持され、その後端側に施錠部材を有し、上記投票用紙収納空間を覆った閉状態で施錠されることを特徴とする、請求項１記載の投票用紙交付機。
【請求項４】
上記開閉蓋の上記上壁の裏面に下方に突出して設けられ、上記投票用紙回収部へ搬送される投票用紙の先端が当接する透明な止めガイドを供え、
該止めガイドに、重なった状態で分離された複数枚の投票用紙が当接して進行が止められて投票用紙回収部に落下したときに、該投票用紙の少なくとも一部が、上記給紙部に載置された投票用紙の上方に延在することを特徴とする、請求項３記載の投票用紙交付機。
【請求項５】
上記押え部材が透明であることを特徴とする、請求項１記載の投票用紙交付機。
【請求項６】
装置本体の上記スリットから投票用紙が取り出されたときに、選挙の種類に応じた音声を発生する音声発生装置を備えたことを特徴とする、請求項１ないし５のいずれかに記載の投票用紙交付機。
【請求項７】
装置本体の初期設定時に、選挙の種類に応じた設定になっているか否かの確認を促す音声を発生する音声発生装置を備えたことを特徴とする、請求項１ないし５のいずれかに記載の投票用紙交付機。
【請求項８】
複数枚の投票用紙を載置した給紙部から投票用紙を１枚ずつ分離して装置本体のスリットから突出させ取り出せるようにした投票用紙交付機において、
装置本体に投票用紙収納空間を形成し、
開閉蓋を外投票用紙収納空間を解除可能なように設け、
上記投票用紙収納空間内に上記給紙部を設け、
上記投票用紙収納空間に隣接して上記装置本体上部に、上記給紙部に載置された投票用紙を分離したときに、重なった状態で分離された複数枚の投票用紙を回収する投票用紙回収空間を形成し、
上記給紙部に載置された投票用紙及び投票用紙回収空間に収納された投票用紙を装置外部から同時に透視できる透視部を装置本体に設け、
上記投票用紙の交付時に選挙の種類に応じた音声を発生する音声発生装置を備えたことを特徴とする、投票用紙交付機。
【請求項９】
上記音声発生装置は、初期設定時に、選挙の種類に応じた設定になっているか否かの確認を促す音声を発生することを特徴とする、請求項８記載の投票用紙交付機。
【請求項１０】
上記重なった状態で分離、搬送された複数枚の投票用紙は、上記スリットへの搬送経路途中から分岐することにより上記投票用紙回収空間に回収され、
さらに、上記開閉蓋を、上記投票用紙回収空間も解除可能に設けることを特徴とする、請求項８記載の投票用紙交付機。
【請求項１１】
上記開閉蓋は、装置本体に回動自在に支持され、少なくとも一部が透明に形成されて上記透視部が設けられ、さらにその裏面に上記投票用紙収納空間の上方に突出する止めガイドを有し、
前記重なった状態で分離された複数枚の投票用紙は、その先端が該開閉蓋の上記止めガイドに当接して進行が止められて投票用紙回収部に落下したときに、少なくとも一部分が、上記給紙部に載置された投票用紙の上方に延在することを特徴とする、請求項１０記載の投票用紙交付機。
【請求項１２】
上記スリットの周囲に、表示部、または表示物を取り付けるための表示取り付け部を設けたことを特徴とする、請求項６又は８記載の投票用紙交付機。
【請求項１３】
上記音声発生装置は、上記スリットから投票用紙が取り出されたときに、選挙の種類に応じて男性または女性の音声を発生することを特徴とする、請求項６又は８記載の投票用紙交付機。
【請求項１４】
上記音声発生装置は、上記スリットから投票用紙が突出する直前から該投票用紙の取り出しが完了するまでの間に、選挙の種類に応じた音声の発生を開始することを特徴とする、請求項６、８又は１３記載の投票用紙交付機。
【請求項１５】
上記投票用紙収納空間の閉鎖状態が解除されたときに、上記給紙部と上記スリットとの間の搬送経路途中に配置された投票用紙を、該搬送経路外に排出する投票用紙回収手段を備えたことを特徴とする、請求項８記載の投票用紙交付機。
【請求項１６】
上記搬送経路外は、上記投票用紙回収空間であることを特徴とする、請求項１５記載の投票用紙交付機。
【請求項１７】
上記開閉蓋は、装置本体に可動に保持され、少なくとも一部が透明に形成されて上記透視部が設けられることを特徴とする、請求項８記載の投票用紙交付機。
【請求項１８】
上記開閉蓋を施錠し、上記投票用紙収納空間の閉鎖状態を保持する施錠手段を備えたことを特徴とする、請求項１７記載の投票用紙交付機。
【請求項１９】
上記開閉蓋は、装置本体に回動自在に支持されたことを特徴とする、請求項１７記載の投票用紙交付機。
【請求項２０】
投票用紙交付機の初期設定にあたって、交付される投票用紙の種類を設定する手段を備え、さらに、音声発生装置は、投票用紙の種類を設定する手段の操作について音声ガイダンスを行うことを特徴とする、請求項８記載の投票用紙交付機。
【請求項２１】
上記給紙部から上記スリットまでの搬送経路途中で投票用紙を測定し、該投票用紙の重なりを検出する用紙重なり検出手段をさらに備え、
該用紙重なり検出手段は、上記投票用紙交付機の初期設定操作にあたって、予備搬送された投票用紙を予備測定し、その結果に基づいて、投票用紙の重なりを検出するための基準を決定するものであり、
さらに、上記音声発生装置は、該基準を決定する操作についての音声ガイダンスを行い、
該音声ガイダンスの内容は、予備搬送した投票用紙が重なっていないかの確認を促す第１のガイダンスと、もし予備搬送した投票用紙が重なっていることを確認したならば初期設定操作をやり直すべきである旨の第２のガイダンスとを含むことを特徴とする請求項２０に記載の投票用紙交付機。
【請求項２２】
上記開閉蓋の裏面に上記投票用紙収納空間の上方に突出する止めガイドを形成し、
投票用紙交付機の初期設定にあたって、上記給紙部から予備搬送された投票用紙が上記スリットへの搬送経路途中から分岐し、該止めガイドに当接して進行が止められて投票用紙回収部に落下したときに、少なくともその一部が、上記給紙部に載置された投票用紙の上方に延在することを特徴とする請求項２１に記載の投票用紙交付機。
【発明の詳細な説明】
【０００１】
【発明の属する技術分野】
本発明は、投票用紙交付機に関する。
【０００２】
【従来の技術】
従来、投票用紙交付機が用いられている。この種の装置は、予め複数の投票用紙を装置内に収納して用いる。投票用紙を交付するときに、係員が操作キーを押すと、装置から投票用紙が１枚だけ出るようになっている。この投票用紙を、係員が装置から抜き取って選挙人に交付したり、選挙人自身が抜き取ったりする。この装置を用いれば、投票用紙を１枚ずつ確実に選挙人に交付することができ、また、交付した投票用紙の枚数を正確に計数できるので、投票用紙の管理事務の効率化に役立っている。
【０００３】
ところで、この装置に誤って別の種類の投票用紙を収納して用いれば、投票用紙の誤交付が生じる。これを防止するため、本願出願人は、投票用紙の識別コードを自動検出して交付ミスを防止する投票用紙交付機を提案した（たとえば、特開平６−２１５２１８号公報）。しかし、この装置では、投票用紙に特別な識別コードを予め印刷しておく必要があり、実用化には至っていない。
【０００４】
【発明が解決しようとする課題】
したがって、本発明の解決すべき技術的課題は、交付ミスを防止できる、より実用的な投票用紙交付機、換言すれば、投票用紙に特別な処理をしなくても用いることができる投票用紙交付機を提供することである。
【０００５】
【課題を解決するための手段および作用・効果】
上記の技術的課題を解決するため、本発明は、以下の構成の投票用紙交付機を提供する。
【０００６】
投票用紙交付機は、装置本体内に収納した複数枚の投票用紙を１枚ずつ分離して装置本体のスリットから突出させ取り出せるようにしたものである。そして、装置本体後部に複数枚の投票用紙を収納する投票用紙収納空間を形成し、該投票用紙収納空間が対向する装置本体の上壁および後壁の少なくとも一部を透明にし、上記投票用紙収納空間に、略水平方向前後に延在する底壁と、該底壁の前端から略垂直上方に、前後方向に対して略直交して延在する立壁と、該立壁に対向し、上記底壁に沿って該立壁に対して接離自在に支持され、該立壁側に付勢される押え部材とを有し、上記底壁に複数枚の投票用紙をその記入面が装置後方を向くようにして立てた状態で前後方向に重ねて載置し、上記立壁と上記押え部材との間に挟持する給紙部と、上記投票用紙収納空間に隣接して装置本体上部に、装置本体内に収納した投票用紙を上記スリットから１枚だけ突出させるべく分離したときに重なった状態で分離された複数枚の投票用紙を回収する投票用紙回収部と、を備え、上記給紙部に収納された最後部の投票用紙の記入面と前記投票用紙回収部に回収された投票用紙が上記上壁および後壁の少なくとも一方の透明部分を通して外部から同時に見えるように構成されている。
【０００７】
上記構成によれば、通常、テーブルを挟んで選挙人と係員とが対向し、テーブルの上に投票用紙交付機が置かれ、係員は、投票用紙交付機の後方または斜め後方に位置するので、係員は、装置内に収納した投票用紙を斜め上から、装置本体の透明部分を通して、装置の後方の比較的広い範囲から見ることができる。このとき、係員の視線の方向は、装置本体内に収納した投票用紙の記入面に略垂直となる。また、給紙部の投票用紙の枚数により、記入面が見える最後部の投票用紙の位置が前後にずれても、最後部の投票用紙の記入面を常に略正面から見ることができる。したがって、投票用紙の種類が間違っていないかどうかを容易に確認することができ、投票用紙の交付ミスを防止できる。また、１枚だけを分離できなかった投票用紙が投票用紙回収部に回収されると、透明部分から、その投票用紙が見える。したがって、投票用紙がうまく分離されなかったことを容易に判別することができ、容易にかつ確実に監視できる。
【０００８】
したがって、従来の投票用紙に特別な処理を施すことなく、そのまま用いることができるので、実用的である。
【０００９】
好ましくは、上記給紙部の上記底壁は、その後側が高くなるように傾き、上記給紙部の上記立壁は、前方に傾いている。
【００１０】
上記構成によれば、投票用紙の記入面は斜め上を向くように傾けられる。通常、係員は、装置内の投票用紙を斜めに見下ろすので、装置内の投票用紙の記入面をより正面から見ることができ、投票用紙の確認が一層容易になる。
【００１１】
好ましくは、装置本体の上記上壁の後部および上記後壁の上部は、断面略Ｌ字状に連続した透明な開閉蓋からなる。この開閉蓋は、その前端側が装置本体に回動自在に支持され、その後端側に施錠部材を有し、上記投票用紙収納空間を覆った閉状態で施錠される。
【００１２】
上記構成によれば、透明な開閉蓋を持ち上げて開き、装置後方から投票用紙をセットした後、開閉蓋を閉じて施錠する。したがって、簡単な構成で、内部の投票用紙が外部から見え、投票用紙の勝手な取り出しを確実に防止し、投票用紙のセットを容易にすることができる。
【００１５】
好ましくは、上記投票用紙回収部を設けるとともに、上記開閉蓋の上記上壁の裏面に、下方に突出して設けられ、上記投票用紙回収部へ搬送される投票用紙の先端が当接する透明な止めガイドを突設する。この止めガイドに、重なった状態で分離された複数枚の投票用紙が当接して進行が止められて投票用紙回収部に落下したときに、該投票用紙の少なくとも一部が、上記給紙部に載置された投票用紙の上方に延在する。
【００１６】
上記構成によれば、投票用紙回収部に回収された投票用紙は、少なくとも給紙部に載置された投票用紙の上方に延在する部分が、透明な開閉蓋および透明な止めガイドを介して、外部から容易に見ることができる。したがって、投票用紙がうまく分離されなかったことがより確実に分かるようになる。
【００１７】
好ましくは、上記押え部材が透明である。
【００１８】
上記構成によれば、給紙部に載置された最後部の投票用紙の記入面のうち、押え部材で押えられた部分も見えるので、投票用紙の確認が一層容易となる。
【００１９】
好ましくは、装置本体の上記スリットから投票用紙が取り出されたときに、選挙の種類に応じた音声を発生する音声発生装置を備える。
【００２０】
上記構成によれば、投票用紙の交付時に、音声を通じて、投票用紙の種類を確認できるようになる。したがって、投票用紙の誤交付を防止することができる。
【００２１】
好ましくは、装置本体の初期設定時に、選挙の種類に応じた設定になっているか否かの確認を促す音声を発生する音声発生装置を備える。
【００２２】
上記構成によれば、装置本体の初期設定時に、音声を通じて、投票用紙の種類に応じた初期設定であるか否かの確認、たとえば、装置本体に対する選挙の種類の設定、選挙の種類の表示、装置本体にセットした投票用紙の種類などが正しいか否かの確認を促す。このとき、装置本体の投票用紙収納空間に対向する部分（たとえば、開閉蓋）が透明であるので、投票用紙の種類を容易に確認することができる。したがって、初期設定の誤りによる投票用紙の誤交付を、未然に防止することができる。
【００２３】
ところで、本発明は、複数枚の投票用紙を載置した給紙部から投票用紙を１枚ずつ分離して装置本体のスリットから突出させ取り出せるようにした投票用紙交付機において、上記給紙部に載置された投票用紙の周囲を解除可能に閉鎖する投票用紙収納空間を形成し、該投票用紙収納空間と装置外部との間に、上記給紙部に載置された投票用紙を装置外部から透視できる透視部を設けたことを基本的特徴とする。
【００２４】
そして、本発明は、以下の構成の投票用紙交付機を提供する。
【００２５】
投票用紙交付機は、複数枚の投票用紙を載置した給紙部から投票用紙を１枚ずつ分離して装置本体のスリットから突出させ取り出せるようにした投票用紙交付機において、
装置本体に投票用紙収納空間を形成し、
開閉蓋を外投票用紙収納空間を解除可能なように設け、
上記投票用紙収納空間内に上記給紙部を設け、
上記投票用紙収納空間に隣接して上記装置本体上部に、上記給紙部に載置された投票用紙を分離したときに、重なった状態で分離された複数枚の投票用紙を回収する投票用紙回収空間を形成し、
上記給紙部に載置された投票用紙及び投票用紙回収空間に収納された投票用紙を装置外部から同時に透視できる透視部を装置本体に設け、
上記投票用紙の交付時に選挙の種類に応じた音声を発生する音声発生装置を備えた。
【００２６】
上記構成において、給紙部に投票用紙を載置する方法は任意であり、投票用紙を上下に積み重ねても、立てた状態で重ねてもよい。投票用紙収納空間は、給紙部に載置された投票用紙を装置外部に取り出せないように、投票用紙の周囲を閉鎖する。投票用紙収納空間による閉鎖は、投票用紙の補充や交換などができるように、解除可能である。透視部からは、閉鎖された投票用紙収納空間内にある給紙部に載置された投票用紙を見ることができるので、投票用紙が選挙の種類に応じたものであるかどうかを、投票用紙の補充や交換の時だけでなく、投票用紙交付機を使用して実際に投票用紙を交付する時にも、常に確認することができる。たとえば、投票用紙の色が選挙の種類によって異なる場合には、投票用紙が見えさえすれば、その色から投票用紙が選挙の種類に応じたものであるかどうかを容易に確認することができる。また、投票用紙回収空間は投票用紙収納空間に隣接しているので、投票用紙回収空間に回収された投票用紙は、投票用紙収納空間に収納された投票用紙と同時に見ることができ、投票用紙交付者は監視が容易である。したがって、投票用紙交付者は、投票用紙がうまく分離されなかったことを、容易にかつ確実に監視できる。
【００２７】
上記構成において、投票用紙の交付時には、音声発生装置からの選挙の種類に応じた音声が発生するので、この音声は、選投票用紙の種類の確認を促す契機となる。
【００２８】
以上のように、視覚と聴覚の組み合わせにより、投票用紙の交付ミスを防止できる。また、上記構成の投票用紙交付機は、投票用紙にバーコードの印刷などの特別な処理をしなくても用いることができる
【００２９】
好ましくは、上記音声発生装置は、初期設定時に、選挙の種類に応じた設定になっているか否かの確認を促す音声を発生する。
【００３０】
上記構成によれば、装置本体の初期設定時には、音声発生装置からの音声は、投票用紙の種類に応じた初期設定であるか否かの確認、たとえば、装置本体に対する選挙の種類の設定、選挙の種類の表示、装置本体にセットした投票用紙の種類などが正しいか否かの確認を促す。このとき、給紙部の投票用紙は、透視部を介して装置外部から見ることができるので、投票用紙の種類を容易に確認することができ、初期設定の誤りによる投票用紙の誤交付を未然に防止することができる。
【００３１】
好ましくは、上記重なった状態で分離、搬送された複数枚の投票用紙は、上記スリットへの搬送経路途中から分岐することにより上記投票用紙回収空間に回収され、
さらに、上記開閉蓋を、上記投票用紙回収空間も解除可能に設ける。
【００３２】
上記構成によれば、投票用紙回収空間に回収された用紙は、透視部を介して装置外部から容易に見ることができる。投票用紙回収空間は投票用紙収納空間に隣接しているので、投票用紙回収空間に回収された投票用紙は、投票用紙収納空間に収納された投票用紙と同時に見ることができ、投票用紙交付者は監視が容易である。したがって、投票用紙交付者は、投票用紙がうまく分離されなかったことを、容易にかつ確実に監視できる。
【００３３】
より好ましくは、上記開閉蓋は、装置本体に回動自在に支持され、少なくとも一部が透明に形成されて上記透視部が設けられ、さらにその裏面に上記投票用紙収納空間の上方に突出する止めガイドを有し、
前記重なった状態で分離された複数枚の投票用紙は、その先端が該開閉蓋の上記止めガイドに当接して進行が止められて投票用紙回収部に落下したときに、少なくとも一部分が、上記給紙部に載置された投票用紙の上方に延在する。
【００３４】
上記構成によれば、投票用紙回収空間に排出された投票用紙は、蓋部材の止めガイドに当接して進行が止められ、装置本体の上部に回収される。この回収された投票用紙の少なくとも一部は、給紙部に載置された投票用紙の上方に延在するので、この部分は、少なくとも一部が透明な蓋部材を介して、装置外部から容易に見ることができる。したがって、投票用紙がうまく分離されなかったことがより確実に分かるようになる。
【００３５】
好ましくは、上記スリットの周囲に、表示部、または表示物を取り付けるための表示取り付け部を設ける。
【００３６】
上記構成によれば、表示部に選挙の種類を表示することにより、あるいは、選挙の種類を表示物（たとえば、表示プレート、表示シールなど）に表示し、それを取り付け部に取り付けることにより、投票用紙の交付を受ける投票者は、スリットから投票用紙を取り出す前、取り出し中、取り出し後の少なくともいずれかのときに、選挙の種類の表示が見える。これによって、投票用紙の交付を受ける投票者は、交付された投票用紙が選挙の種類に対応しているかどうかを確認することが容易となる。
【００３７】
表示部または表示取り付け部は、たとえば、スリットを装置本体の上面に設けるときには、装置本体の前面に設け、スリットを装置本体の前面に設けるときには、装置本体の上面、あるいは装置本体の前面のスリットより上側部分に設ければ、投票用紙を取り出す際に同時に選挙の種類の表示を見ることができるようになるが、これに限るものではない。
【００３８】
表示部は、常に選挙の種類を表示していてもよいが、投票用紙の突出や抜き出しに連動して、間欠的に表示するようにしてもよく、あるいは、点滅表示により注意を喚起するようにしてもよい。
【００３９】
好ましくは、上記音声発生装置は、上記スリットから投票用紙が取り出されたときに、選挙の種類に応じて男性または女性の音声を発生する。
【００４０】
上記構成によれば、同じ投票所で異種の選挙種別の音声を発生する必要がある時（ダブル選挙など）でも、音声が重なって聞き取りにくいという問題もなく、選挙の種類の違いを、識別容易な男女の声の違いによって、容易に確認することができる。
【００４１】
厳密には、上記音声発生装置は、上記スリットから投票用紙が突出する直前から該投票用紙の取り出しが完了するまでの間に、選挙の種類に応じた音声の発生を開始する。
【００４２】
音声発生装置は、スリットから投票用紙が突出する直前から該投票用紙の取り出し完了直後までの間に、適宜タイミングで、選挙の種類に応じた音声を１回だけ発生しても、複数回（たとえば、投票用紙の突出開始と取り出し開始にそれぞれ連動して各１回）発生してもよい。また、複数回連続的に発声してもよいし、間欠的に繰り返して発生してもよい。
【００４３】
投票用紙を実際に交付するときに音声を発生し、交付待機時には音声を発生しない。したがって、必要なときにだけ適宜タイミングで音声を発生させることができる。
【００４４】
好ましくは、上記投票用紙収納空間の閉鎖状態が解除されたときに、上記給紙部と上記スリットとの間の搬送経路途中に配置された投票用紙を、該搬送経路外に排出する投票用紙回収手段を備える。
【００４５】
上記構成によれば、投票用紙収納空間の閉鎖状態を解除したとき、搬送経路途中に残っている投票用紙（すなわち、給紙部からスリットへの搬送が開始された投票用紙であって、まだスリットには達していない投票用紙）は搬送経路外に排除される。搬送経路途中に用紙が残らないので、未交付投票用紙の回収漏れを防ぐことができる。また、交付する投票用紙の種類を変更する場合、投票用紙交換のために投票用紙収納空間の閉鎖状態が解除されると同時に、搬送経路途中の投票用紙は排出され、搬送経路途中に変更前の投票用紙が残らないようになるので、確実に変更後の投票用紙を交付することができる。
【００４６】
好ましくは、上記投票用紙回収手段は、投票用紙収納空間の閉鎖状態が解除されたときに、上記給紙部と上記スリットとの間の搬送経路途中に配置された投票用紙を、上記スリットとは異なる回収部に排出する。
【００４７】
上記構成によれば、搬送経路途中に残った投票用紙は回収部に排出される。仮に搬送経路途中に残った投票用紙がスリットから搬送経路外に排出されると、その投票用紙はカウントされているのかどうかについて混乱が生じるが、搬送経路途中に残った投票用紙をスリットとは異なる回収部に排出するれば、このような混乱が生じない。
【００４８】
好ましくは、上記回収部は、上記投票用紙収納空間内またはこれに隣接して装置本体上部に設けられる。上記透視部は、上記回収部に排出された投票用紙を装置外部から透視できるように構成される。
【００４９】
上記構成によれば、回収部を投票用紙収納空間内またはこれに隣接して設けることによって、投票用紙の補充や交換時に、回収部に排出された投票用紙が目に入るので、排出された投票用紙の処理を忘れないにすることができる。
【００５０】
なお、回収部は、投票用紙収納空間と仕切り、別個独立に設けても、あるいは、空間が連続するようにしてもよい。また、回収部は、必ずしも閉鎖されていることは必要ではない。
【００５１】
好ましくは、上記投票用紙収納空間に隣接して装置本体上部に、搬送された投票用紙が上記給紙部から上記スリットへの搬送経路途中から分岐して排出され回収される、投票用紙回収空間が設けられる。装置本体に回動自在に支持され、少なくとも一部が透明な蓋部材を備える。該蓋部材は、その動きにより解除可能に上記投票用紙収納空間および上記投票用紙回収空間を閉鎖する。該蓋部材は、その裏面に、上記投票用紙収納空間の上方に突出する止めガイドを有する。上記投票用紙回収手段は、上記投票用紙収納空間の閉鎖状態が解除されたときに、上記給紙部と上記スリットとの間の搬送経路途中に配置された投票用紙を、上記投票用紙回収空間に排出する。
【００５２】
上記構成によれば、搬送経路途中に残っている投票用紙は、止めガイドに当接し、その少なくとも一部分が、給紙部に載置された投票用紙の上方に延在するので、少なくとも一部が透明な開閉蓋を介して、装置外部から容易に見るようにすることができる。したがって、搬送経路途中に残っている投票用紙の有無の確認と、その投票用紙の回収とを、容易に行うことができる。
【００５３】
好ましくは、上記透視部は、装置本体に可動に保持され、少なくとも一部が透明な蓋部材からなる。該蓋部材の動きにより、上記投票用紙収納空間の閉鎖が解除される。
【００５４】
上記構成によれば、蓋部材は、投票用紙収納空間の閉鎖状態を保つことができる。蓋部材は、少なくとも一部が透明であるので、給紙部に載置された投票用紙を装置外部から透視できるようにすることが可能である。蓋部材は装置本体に可動に保持されるので、蓋部材が装置本体に対して、たとえば平行移動（スライド）することにより、あるいは回転又は回動することによって、投票用紙収納空間の閉鎖状態を解除、すなわち開閉できるように構成することができる。また、透視部は、装置本体とは別個の蓋部材にのみ設けることができ、そうすれば、装置構成を簡単にすることが可能である。
【００５５】
好ましくは、上記蓋部材を施錠し、上記投票用紙収納空間の閉鎖状態を保持する施錠手段を備える。
【００５６】
蓋部材の透明部分から用紙収納空間内の投票用紙が見えるので、投票用紙を勝手に取り出されやすくなるが、上記構成によれば、蓋部材を施錠することによって、用紙収納空間から投票用紙を勝手に取り出されないように確実に防止することができる。
【００５７】
好ましくは、上記蓋部材は、装置本体に回動自在に支持される。
【００５８】
上記構成によれば、蓋部材の回動によって投票用紙収納空間を開閉することができる。投票用紙収納空間が開かれているときには、蓋部材は回動状態となっているので、蓋部材をスライドするように構成した場合に比べ、投票用紙収納空間の開閉状態が一目で分かり、投票用紙交付作業の管理上、好都合である。
【００５９】
好ましくは、上記音声発生装置は、投票用紙交付機において交付される投票用紙の種類を設定する初期設定時に、初期設定操作についての音声ガイダンスを行う。
【００６０】
上記構成において、音声発生装置は、音声によって、初期設定操作の操作手順、操作内容、注意事項など助言、指導する。音声ガイダンスに従えば、操作説明書などを参照しなくても初期設定操作を行えるので、便利である。
【００６１】
好ましくは、上記給紙部から上記スリットまでの搬送経路途中で投票用紙を測定し、該投票用紙の重なりを検出する用紙重なり検出手段をさらに備える。該用紙重なり検出手段は、初期設定操作により、投票用紙を予備搬送し、該投票用紙を予備測定し、その結果に基づいて、投票用紙の重なりを検出するための基準を決定する。上記音声発生装置は、上記用紙重なり検出手段の上記初期設定操作による動作に連動して上記音声ガイダンスを行う。該音声ガイダンスの内容は、予備搬送した投票用紙が重なっていないかの確認を促す第１のガイダンスと、もし予備搬送した投票用紙が重なっていることを確認したならば初期設定操作をやり直すべきである旨の第２のガイダンスとを含む。
【００６２】
上記構成において、用紙重なり検出手段は、投票用紙の搬送中または搬送停止中に、投票用紙の厚さ、光透過率、搬送方向長さなどを測定することによって、投票用紙の重なりを検出する。投票用紙の重なりを検出したときには、たとえば、警告を発し、その重なった投票用紙を回収できる。これによって、１枚ずつ確実に投票用紙を交付することができる。
【００６３】
用紙重なり検出手段が投票用紙の重なりを検出するための基準は、初期設定時に、実際の投票用紙を重ならない状態で予備搬送し、その時の予備測定結果から自動的に決定することができる。しかし、投票用紙が重った状態で予備搬送されると、正しく基準を決定することができない。そこで、初期設定時には、予備搬送された投票用紙が重なっていないかを確認し、もし重なっていれば、初期設定操作をやり直す必要がある。この確認作業は、操作者自身が行うが、これについての音声ガイダンスが予備搬送に連動して音声発生装置から発生するので、操作者は、容易かつ間違いなく、この確認作業を行うことができる。
【００６４】
好ましくは、上記開閉蓋の裏面に上記投票用紙収納空間の上方に突出する止めガイドを形成し、
投票用紙交付機の初期設定にあたって、上記給紙部から予備搬送された投票用紙が上記スリットへの搬送経路途中から分岐し、該止めガイドに当接して進行が止められて投票用紙回収部に落下したときに、少なくともその一部が、上記給紙部に載置された投票用紙の上方に延在する。
【００６５】
上記構成によれば、予備搬送した投票用紙は、止めガイドに当接し、その少なくとも一部分が、給紙部に載置された投票用紙の上方に延在するので、少なくとも一部が透明な開閉蓋を介して、装置外部から容易に見るようにすることができる。したがって、予備搬送され排出された投票用紙が重なっていないかの確認と、その投票用紙の回収とを、容易に行うことができる。また、排出された投票用紙が選挙の種類と一致しているかどうかも、同時に確認できる。
【００６６】
なお、共通の投票用紙回収空間に、予備搬送した投票用紙と、重なって搬送された投票用紙と、搬送経路途中に配置された投票用紙とを排出するようにすれば、装置の構成を簡単にすることができる。
【００６７】
【発明の実施の形態】
以下に、図１〜図３に示した本発明の一実施形態に係る投票用紙交付機１０について詳細に説明する。
【００６８】
投票用紙交付機１０は、図１の斜視図に示すように、大略、装置本体１２と、コントローラ５０とからなる。
【００６９】
装置本体１２は、大略、立方体形状であり、その上壁前部にスリット１６が形成され、このスリット１６から投票用紙２ｓが１枚だけ突出するようになっている。このとき、投票用紙２ｓの記入面が前を向き、装置本体１２の前方から投票用紙２ｓの種類が分かるようにすることが好ましい。装置本体１２の前面には、選挙の種類を示す表示プレート４を取り付け、装置の前方から選挙の種類が分かるようにすることができるようになっている。さらに、装置本体１２の前面内部には、図２の断面図に示すようにスピーカー１７が設けられていて、スリット１６から投票用紙２ｓを抜き取ると、選挙の種類を告げるアナウンスが流れ、選挙の種類が分かるようになっている。なお、複数の選挙を行うために、それぞれ別の種類の投票用紙を交付する複数台の投票用紙交付機１０を並べて用いるような場合には、投票用紙の種類に応じてアナウンスの声の特徴を変える（たとえば、男性のアナウンスと女性のアナウンスとを用いる）と、選挙の種類の区別をより効果的に行うことができる。
【００７０】
装置本体１２は、その上壁後部と後壁上部とに上開口部と後開口部とがそれぞれ形成されて、装置内部に給紙部１４が設けられ、投票用紙を載置するようになっている。上開口部と後開口部とは、透明な開閉蓋１８で覆われている。図３の斜視図に示すように、開閉蓋１８は、その前端側が装置本体１２に回転自在に支持され、その後端下部には施錠部１９が設けられていて、図１に示したように閉じた状態で施錠される。これによって、給紙部１４から投票用紙が勝手に取り出されるのを防止できるようになっている。
【００７１】
装置本体１２の内部には、図２に示すように、その後部に給紙部１４が設けられ、その前部に投票用紙の搬送機構が設けられている。
【００７２】
給紙部１４は、後側が高くなるように傾いた底壁１４ｂと、この底壁１４ｂの前端から略直角方向上向きに、やや前に傾いた状態で延在する立壁１４ｃとを有する。底壁１４ｂには、矢印９２で示すように前後方向に移動可能な投票用紙押え板１４ａが設けられている。投票用紙押え板１４ａは、スプリング１４ｓによって立壁１４ｃ側に付勢されるようになっている。立壁１４ｃの上部には、切り欠きが設けられ、偏心支持された偏心ローラ２０の一部が突出するようになっている。立壁１４ｃの下部には、給紙ローラ２２とさばき板２１とが設けられている。
【００７３】
投票用紙２は、立てた状態で前後方向に重ねて底壁１４ｂに載置し、最後部の投票用紙２ｂを投票用紙押え板１４ａで前方に付勢し、最前部の投票用紙２ａが立壁１４ｃに直接対向するようにする。
【００７４】
最前部の投票用紙２ａは、給紙ローラ２２とさばき板２１との間を通って、スリット１６まで搬送される。スリット１６までの投票用紙搬送経路には、投票用紙を送るための搬送ローラ２４，２６，２８と、投票用紙の先端の検出と投票用紙の重なりの検出を行うための透過型光センサである検出センサ２５と、重なった投票用紙を排除するための排除ガイド３０と、スリット１６から突出した投票用紙の抜き取りを検出する抜き取り検出板３２とが設けられている。装置本体１２の上部前側には、排除ガイド３０によって排除された投票用紙を載置する排除投票用紙回収部１５が設けられている。また、開閉蓋１８の前部下面には、下方に突出する止めガイド１８ａが突設されていて、不図示のソレノイドにより制御可能な排除ガイド３０によって正規の搬送経路から排除された投票用紙の先端が当たって、排除投票用紙回収部１５に落下するようになっている。
【００７５】
コントローラ５０は、コード５８で装置本体１２と接続されていて、装置本体１２と制御信号を交信するようになっている。コントローラ５０は、男キー５２と女キー５４の２つの操作キー５２，５４と、表示パネル５６とを有している。男としてカウントするか、女としてカウントするかによって、男キー５２または女キー５４を押すと、図１のように、装置本体１２のスリット１６には投票用紙２ｓが１枚だけ突出する。この投票用紙２ｓを取り出した時点で、投票用紙の交付枚数がカウントアップされる。表示パネル２６には、カウントした男女別および合計の投票用紙交付枚数と、エラー時のメッセージ等が表示されるようになっている。なお、男としてカウントするか、女としてカウントするかは、投票用紙２ｓがスリット１６から抜き出されるまでに男キー５２または女キー５４を再度操作すれば訂正することができるようになっている。コントローラ５０には、図示していないが、選挙やアナウンスの種類など種々の設定を行うための操作スイッチが設けられている。
【００７６】
次に、投票用紙交付機１０の操作と動作について説明する。
【００７７】
まず、図２および図３において矢印９０で示すように、開閉蓋１８を開き、装置本体１２の後方から、投票用紙２を給紙部１４に載置する。このとき、投票用紙２を立て、投票用紙の記入面が後を向くようにして前後に重ねた状態で、給紙部１４の底壁１４ｂに用紙２を載置する。そして、投票用紙押え板１４ａによって投票用紙２の下部を押え（立壁１４ｃ側に付勢し）、投票用紙２の下部を投票用紙押え板１４ａと立壁１４ｃとの間で挟持する。そして、開閉蓋１８を閉じ、施錠する。開閉蓋１８は透明であるので、給紙部１４に載置された最後部の投票用紙２ｂの記入面を、装置後方の比較的広い範囲から見ることができる。
【００７８】
次に、係員がコントローラ５０の男キー５２又は女キー５４を押すと、偏心ローラ２０、給紙ローラ２２、および搬送ローラ２４，２６，２８がそれぞれ図２において反時計方向に回転を開始し、給紙部１４から最前部の投票用紙２ａだけが分離されて、スリット１６まで搬送させ、スリット１６から突出する。
【００７９】
偏心ローラ２０は、投票用紙が重なった状態で給紙ローラ２２とさばき板２１との間を通過するのを効果的に防止する。
【００８０】
すなわち、偏心ローラ２０は、その一部が立壁１４ｃから突出し、最前部の投票用紙２ａの上部に当接する。そして、偏心ローラ２０は、回転に伴なってその突出部分が前後に移動して、投票用紙２ａを後方に押したり、前方に戻ったりして、用紙２の上部を前後に揺する。これによって、特に、最前部の投票用紙２ａと立壁１４ｃとの間、および最前部の投票用紙２ａとその次の投票用紙との間におけるそれぞれの密着状態を解消し、それぞれの間に微小な空気層を間に形成してそれぞれの間の摩擦力を小さくする。投票用紙２ａに対向する立壁１４ｃの対向面からの偏心ローラ２０の投票用紙２側への突出量は、１０ｃｍ角程度の投票用紙に対して、たとえば０〜１２ｍｍである。偏心ローラ２０は、投票用紙２ａに対向する立壁１４ｃの対向面まで後退してもよいが、それよりもさらに奥（投票用紙２とは反対側）には後退しないようにして、常に用紙２ａと接触して投票用紙２を前後に揺するようにすると、効率的となる。なお、用紙２を給紙部１４に載置するときには、偏心ローラ２０の立壁１４ｃからの突出量が小さい方が、立壁１４ｃに沿って用紙を揃えやすくなるが、給紙部１４に残った未交付の投票用紙２を回収するときには、偏心ローラ２０が突出している方が、立壁１４ｃと投票用紙２ａとの間に隙間ができ、投票用紙２を取り出しやすくなる。
【００８１】
また、偏心ローラ２０は、回転に伴なって投票用紙２を前後に揺すると同時に、最前部の投票用紙２ａを摩擦力によって給紙ローラ２２側に送り込む。そのために、偏心ローラ２０の周速は、給紙ローラ２２の周速よりも大きくしておく。また、投票用紙２ａを給紙ローラ２２側に無理に送り込んで用紙詰まりなどの不都合が生じないように、偏心ローラ２０と投票用紙２ａとの間に適度の滑りが生じるようにする。一方、給紙ローラ２２は、送り込まれた用紙を確実に搬送するために、投票用紙との間の摩擦力は、偏心ローラ２０と投票用紙２ａとの間の摩擦力よりも大きくする。偏心ローラ２０の摩擦面に一般的なゴムを用いる場合、偏心ローラ２０には、たとえば、滑りのよいＡＢＳ樹脂を用いる。偏心ローラ２０は、投票用紙２を給紙部１４から１枚搬送してスリット１６に突出させるまでの１サイクル動作中に、たとえば１０回程度回転する。
【００８２】
最前部の投票用紙２ａは、偏心ローラ２０の押し込みと給紙ローラ２２の引き込みとによって、給紙ローラ２２とさばき板２１との間を進み、搬送ローラ２４，２６，２８の回転によってスリット１６まで搬送される。投票用紙が最後の搬送ローラ２８を通過すると、投票用紙は、図２において鎖線で示すように抜き取り検出板３２を持ち上げて反時計方向に回動させる。そして、投票用紙は、その下部が抜き取り検出板３２によって軽く押された状態で、その上部がスリット１６から突出する。
【００８３】
さらに詳しくは、スリット１６から投票用紙が突出した後も、偏心ローラ２０、給紙ローラ２２、および搬送ローラ２４，２６，２８は回転を続け、その次の投票用紙を給紙部１４から搬送する。そして、その投票用紙の先端が検出センサ２５に達すると、偏心ローラ２０、給紙ローラ２２、および搬送ローラ２４，２６，２８は回転を停止する。このように搬送経路の途中に次の投票用紙を待機させておくことによって、次の投票用紙を短時間でスリット１６から突出させることができる。
【００８４】
なお、投票用紙の先端が検出センサ２５に達しても、その投票用紙の後側は給紙部１４に残るようになっている。これによって、未交付の投票用紙２を給紙部１４から回収したときに、この投票用紙の後側を給紙部１４から容易に発見し、取り除くことができるようになっている。また、偏心ローラ２０は、この待機中の投票用紙の後端よりも上方に位置するようになっていて、待機中の投票用紙とその次の用紙との間の摩擦力を小さくするようになっている。
【００８５】
検出センサ２５は、投票用紙の重なりも検出する。検出センサ２５が投票用紙の先端を検出した後に搬送が停止されるまでの間に、検出センサ２５が投票用紙の重なり検出すると、搬送を停止せず、重なった投票用紙をさらに搬送する。そして、重なった投票用紙の先端が排除ガイド３０に達するまでに、図２において鎖線で示すようにソレノイドの制御により排除ガイド３０は、反時計方向に回動し、その下端部が搬送経路に進入する。これによって、重なった投票用紙は、排除ガイド３０に達すると、正規の搬送経路から排除投票用紙回収部１５側に導かれる。そして、排除された投票用紙の先端が開閉蓋１８の止めガイド１８ａに当接して、排除投票用紙回収部１５に落下する。開閉蓋１８は透明であるので、排除用紙回収部１５に回収された投票用紙の一部が、外部から見えるようになっている。待機中の投票用紙の搬送を開始したときに検出センサ２５が投票用紙の重なりを検出した場合も、同様に動作する。
【００８６】
スリット１６から突出した投票用紙２ｓが抜き取られると、それを検出して、選挙の種類についてのアナウンスが流れ、コントローラ５０の表示パネル５６には選挙の種類が表示され、投票用紙の枚数がカウントアップされる。このとき、スリット１６から投票用紙２ｓが抜き取られると、抜き取り検出板３２は不図示のスプリングによって図２において時計方向に回動して元の位置に戻る。このときの抜き取り検出板３２の回動をフォトインタラプタ３３によって検出する。
【００８７】
その後、コントローラ５０の操作キー５２，５４を再び操作することによって、同様にして、スリット１６から次の投票用紙が１枚だけ突出する。
【００８８】
以上説明した投票用紙交付機１０は、開閉蓋１８が透明であり、給紙部１４の底壁１４ｂおよび立壁１４ｃの傾きよって、給紙部１８に載置された装置内部の投票用紙２の記入面を、後方から略正面に見ることができる。したがって、別の種類の投票用紙が間違ってセットされていないかどうかを容易に確認することができ、投票用紙の交付ミスを防止できる。機械読み取りのための特殊なマークの印刷が必要ないので、従来の投票用紙をそのまま用いることができるので、実用的である。さらに、重なって搬送された投票用紙が回収された場合にも、その投票用紙が透明な開閉蓋１８から見えるので、確認が容易である。
【００８９】
さらに、この投票用紙交付機１０は、音声ガイダンスに従って初期設定を行うことができるようになっている。
【００９０】
すなわち、装置本体１２の不図示のメインスイッチをオンにすると、“コントローラ５０の不図示の選挙種類設定ボタンを押して選挙の種類を選択する”よう操作を指示するアナウンスが、スピーカー１７から流れる。さらに、選挙種類設定ボタンは所定時間以上押し続ける必要がある旨の操作上の注意についても、アナウンスが流れる。
【００９１】
選挙種類設定ボタンを押すと、“選挙の種類が異なるときは希望の選挙種類になるまで選挙種類設定ボタンを押す”よう指示するアナウンスの後に、選挙種類設定ボタンにより設定された選挙の種類を告げるアナウンスが流れる。同時に、コントローラ５０の表示パネル５６には、設定された選挙の種類が表示される。これによって、設定した選挙の種類の確認を促す。
【００９２】
次に、“選挙の種類と装置本体１２の前面に取り付ける表示プレート４とが一致しているかどうかを確認する”よう指示するアナウンスが流れる。これによって、設定した選挙の種類と表示プレート４の種類との一致を確認を促す。
【００９３】
次に、“開閉蓋１８を開けて投票用紙２をセットした後、用紙の種類を再度確認してから開閉蓋１８を閉じる”よう指示するアナウンスが流れる。これによって、設定した選挙の種類とセットした投票用紙の種類との一致の確認を促す。なお、具体的な操作方法について説明するアナウンスも、同時に流れる。
【００９４】
次に、“コントローラ５０の不図示の用紙設定ボタンを押す”よう指示するアナウンスが流れる。用紙設定ボタンを押すと、投票用紙が排除投票用紙回収部１５まで送られる。このとき、検出センサ２５は、用紙通過時の透過光レベルを検出する。投票用紙交付機１０は、この出力を基準に上下に所定のしきい値を自動的に設定し、重なって搬送された用紙や種類の異なる用紙を、検出センサ２５で検出できるようにする。
【００９５】
次に、“開閉蓋１８を開け、排除投票用紙回収部１５に、投票用紙が１枚だけ回収されたか否か確認する”よう指示するアナウンスが流れる。そして、“２枚以上回収されたときには、開閉蓋１８を閉じ、もう一度コントローラ５０の用紙設定ボタンを押し、一方、１枚だけ回収されていれば、初期設定は完了であり、開閉蓋１８を閉じて使用する”よう指示するアナウンスが流れる。
【００９６】
次に、開閉蓋１８が閉じられてから所定時間内にコントローラ５０の用紙設定ボタンが再び押されなければ、投票用紙交付機１０は、通常の交付動作が可能になる。つまり、コントローラ５０のキー５２，５４を押せば、スリット１６から１枚だけ投票用紙が突出するようになる。
【００９７】
なお、コントローラ５０の表示パネル５６には、操作を支援するために適宜メッセージが適宜タイミングで表示される。
【００９８】
以上説明したように、初期設定時には、スピーカー１７からの音声とコントローラ５０の表示パネル５６のメッセージとにより、装置本体１２の選挙種類の設定と、表示プレート４の選挙種類と、装置本体１２にセットする投票用紙２の種類とが一致するように、ガイダンスする。このとき、開閉蓋１８が透明であるので、投票用紙２の種類を容易に確認することができる。また、取り扱い説明書などを参照することなく、簡単に操作することができる。
【００９９】
さらに、予めモード選択しておけば、開閉蓋１８を開いたときに、それに連動して、搬送経路途中に配置され待機中の投票用紙が、重なった投票用紙の場合と同様に、排除投票用紙回収部１５に排出される。具体的には、開閉蓋１８が開いたことを不図示の開閉スイッチにより検出すると、給紙ローラ２２および搬送ローラ２４，２６が回転する。排除ガイド３０は、投票用紙の先端が排除ガイド３０に達するまでに、図２において鎖線で示すように、ソレノイドの制御により反時計方向に回動し、その下端部が搬送経路に進入する。これによって、搬送経路途中に待機中の投票用紙は、排除ガイド３０により排除投票用紙回収部１５側に導かれ、排除投票用紙回収部１５に排出される。検出センサ２５により、給紙ローラ２２から投票用紙が通過したことを検出すると、給紙ローラ２２は停止し、さらに所定時間経過後に、搬送ローラ２４，２６が停止する。
【０１００】
搬送経路途中すなわち装置内部に投票用紙が残らないので、未交付投票用紙の回収漏れを防ぐことができる。また、投票用紙の種類を切り換えたときに、切り換えの前の投票用紙を誤って交付することもない。また、投票用紙の補充や交換時のために開閉蓋１８を開いて給紙部１４にアクセスする時に、給紙部１４に隣接する排除投票用紙回収部１５に投票用紙が排出されるので、排出された投票用紙を忘れることなく処理することができる。さらに、搬送経路途中の投票用紙はスリット１６からは排出されないので、交付枚数としてカウントされたのではないかという疑義が生じない。
【０１０１】
なお、本発明は上記実施形態に限らず、種々の態様で実施可能である。
【０１０２】
たとえば、投票用紙は、立てた状態で装置内に収納する代わりに、上下方向に積み重ねた状態で収納してもよい。開閉蓋の開閉機構は任意に構成できる。また、開閉蓋を部分的に透明にしてもよい。開閉蓋以外の部分を透明にしたり、開閉蓋全体を不透明にしてもよい。
【図面の簡単な説明】
【図１】本発明の一実施形態に係る投票用紙交付機の斜視図である。
【図２】図１の投票用紙交付機の断面図である。
【図３】図１の投票用紙交付機の斜視図である。開閉蓋を開いた状態を示す。
【符号の説明】
２，２ａ，２ｂ，２ｓ    投票用紙
４  表示プレート
１０  投票用紙交付機
１２  装置本体
１４  給紙部
１４ａ  投票用紙押え板
１４ｂ  底壁
１４ｃ  立壁
１４ｓ  スプリング
１５  排除投票用紙回収部
１６  スリット
１７  スピーカー
１８  開閉蓋
１８ａ  止めガイド
１９  施錠部
２０  偏心ローラ
２１  さばき板
２２  給紙ローラ
２４  搬送ローラ
２５  検出センサ
２６  搬送ローラ
２８  搬送ローラ
３０  排除ガイド
３２  抜き取り検出板
３３  フォトインタラプタ
５０  コントローラ
５２，５４  キー
５６  表示パネル
５８  コード
９０，９２  矢印
【図１】
0003571572.tif 000002
【図２】
0003571572.tif 000003
【図３】
0003571572.tif 000004